(57)【要約】【課題】  デザイン性を損なわないで、且つ、アンテナの位置ずれを可及的に防止可能な近距離無線通信機器を提供すること。【解決手段】  近距離無線通信手段６０を備えた近距離無線通信機器５０であって、前記近距離無線通信手段６０のアンテナ６６に発生する電圧を測定するアンテナ電圧測定部６２を当該近距離無線通信手段６０に設け、前記アンテナ電圧測定部６２からの出力に基づいて前記近距離無線通信手段６０のアンテナ６６の状態を通知手段７２、７３、７５、７６で通知することで、近距離無線通信を行うに際しアンテナ状態を適切に保持することを容易にした。【選択図】図１
2015012423.tif 000002
【特許請求の範囲】
【請求項１】
近距離無線通信手段を備えた近距離無線通信機器であって、前記近距離無線通信手段のアンテナに発生する電圧を測定するアンテナ電圧測定部が当該近距離無線通信手段に設けられると共に、前記アンテナ電圧測定部からの出力に基づいて前記近距離無線通信手段のアンテナの状態を通知する通知手段を備えることを特徴とする近距離無線通信機器。
【請求項２】
前記アンテナ電圧測定部からの出力に基づいて前記近距離無線通信手段のアンテナの状態を判断するアンテナ状態判断手段を備え、前記通知手段は、前記アンテナの状態の通知として、前記アンテナ状態判断手段による判断結果に対応した通知を行うことを特徴とする請求項１に記載の近距離無線通信機器。
【請求項３】
前記通知手段は、音声出力装置を備え、前記音出力装置から出力される音の高低、音の大小、又は音出力の間隔の大小の少なくとも１つによって前記アンテナの状態を通知することを特徴とする請求項１又は２に記載の近距離無線通信機器。
【請求項４】
前記通知手段は、発光装置を備え、前記発光装置による点灯の大小、点灯色又は点灯間隔の大小の少なくとも１つによって前記アンテナの状態を通知することを特徴とする請求項１又は２に記載の近距離無線通信機器。
【請求項５】
前記通知手段は、表示装置を備え、前記アンテナ電圧測定部からの出力レベルを前記表示装置で表示することによって前記アンテナの状態を通知することを特徴とする請求項１又は２に記載の近距離無線通信機器。
【請求項６】
前記通知手段は、表示装置を備え、動物又はキャラクタの表情変化を前記表示装置で表示することによって前記アンテナの状態を通知することを特徴とする請求項１又は２に記載の近距離無線通信機器。
【請求項７】
前記近距離無線通信機器は、ＮＦＣ搭載機器であることを特徴とする請求項１乃至６の何れか一項に記載の近距離無線通信機器。
【請求項８】
近距離無線通信手段を備えた近距離無線通信機器のアンテナ状態通知方法であって、
前記近距離無線通信手段のアンテナに発生する電圧を測定するアンテナ電圧測定ステップと、
前記アンテナ電圧測定ステップの出力に基づいてアンテナの状態を通知する通知ステップと、
を含むことを特徴とする近距離無線通信機器のアンテナ状態通知方法。
【請求項９】
近距離無線通信手段を備えた近距離無線通信機器のコンピュータを、
前記近距離無線通信手段のアンテナに発生する電圧を測定するアンテナ電圧測定手段、
前記アンテナ電圧測定手段の出力に基づいて前記近距離無線通信手段のアンテナの状態を通知する通知手段、
として機能させることを特徴とするプログラム。
【発明の詳細な説明】
【技術分野】
【０００１】
本発明は、近距離無線通信機器、アンテナ状態通知方法及びプログラムに関する。
【背景技術】
【０００２】
近年、ＮＦＣ（Near Field Communication：近距離無線通信）等の近距離無線通信が普及しつつある。このＮＦＣは、非接触ＩＣカードインターフェースの規格としてＩＳＯ（国際標準化機構）で規定された国際標準の無線通信技術であり、数センチの短い通信距離で、これから様々な用途に使われることになるであろうことが予想される。
しかしながら、この近距離無線通信を実際に使用した場合、ＮＦＣ搭載端末によってＮＦＣタグの認識が困難であることが分かる。これはＮＦＣが近距離無線通信であり、双方のアンテナの位置が固定されず、アンテナ位置、形状、大きさ、感度などにより通信環境が変化してしまうからである。
また、一方でＲＦとしては通信できていてもデータ処理に時間を要するため、通信中にユーザがＮＦＣ搭載端末の位置をずらしてしまい途中で通信が切断することもあり得る。特に、ＮＦＣタグＬＳＩを搭載する機器との間でトンネル通信を行う場合等には、数十キロバイト以上の通信をすることもあり得る。この場合には通信時間が数分にもなり、ＮＦＣ搭載端末の位置を固定しておくことが難しく、途中で通信が切断してしまう可能性が高くなる。
そこで、従来、アンテナの近傍の筐体表面に、他の機器との位置ずれを抑制する係止部材を設ける技術が提案されている（例えば、特許文献１）。
【先行技術文献】
【特許文献】
【０００３】
【特許文献１】特開２０１０−２８２８５号公報
【発明の概要】
【発明が解決しようとする課題】
【０００４】
しかしながら、上記特許文献１の技術のように、アンテナの近傍の筐体表面に、他の機器との位置ずれを抑制する係止部材を設けるとすれば、筐体のデザイン性を損ない兼ねないという問題がある。
本発明は、このような問題点に鑑みなされたもので、デザイン性を損なわないで、且つ、アンテナの位置ずれを可及的に防止可能な近距離無線通信機器、アンテナ状態通知方法及びプログラムを提供することを目的とする。
【課題を解決するための手段】
【０００５】
本発明は、近距離無線通信手段を備えた近距離無線通信機器であって、前記近距離無線通信手段のアンテナに発生する電圧を測定するアンテナ電圧測定部が当該近距離無線通信手段に設けられると共に、前記アンテナ電圧測定部からの出力に基づいてアンテナの状態を通知する通知手段を備えることを特徴とする。
【発明の効果】
【０００６】
本発明によれば、近距離無線通信を行うに際し、近距離無線通信手段のアンテナ電圧測定部が当該近距離無線通信手段のアンテナに発生する電圧を測定し、その結果に基づいてアンテナ状態（例えばアンテナの適否）を通知手段によって通知するので、近距離無線通信を行うに際しアンテナ状態を適切に保持することが容易となる。
【図面の簡単な説明】
【０００７】
【図１】図１は、実施形態の近距離無線通信システムを示すブロックである。
【図２】図２は、図１のロジックの構成を示す図である。
【図３】図３は、図１のホスト装置の構成を示す図である。
【図４】図４は、通知処理の一例を示すフローチャートである。
【図５】図５は、通知処理の他例を示すフローチャートである。
【図６】図６は、通知処理のさらに他例を示すフローチャートである。
【発明を実施するための形態】
【０００８】
［第１の実施形態］
図１に示す通信システムは、ＮＦＣ搭載機器１０と、ＮＦＣ搭載機器５０とを備えている。このうち、ＮＦＣ搭載機器１０はリーダーライターとして機能するように構成されている。一方、ＮＦＣ搭載機器５０は、ＮＦＣタグ６０と、このＮＦＣタグ６０を搭載する機器本体７０とから構成されている。そして、ＮＦＣタグ６０は、ＲＦ部６１、ＲＳＳＩ部６２、ロジック６３、ＲＡＭ６４及びインターフェース部６５を備えている。
【０００９】
ＲＦ部６１は、その送信側において、ロジック６３から受け取った送信すべきパケットデータを所定の周波数帯の無線周波数信号に変調してアンテナ６６より送信出力させる。また、ＲＦ部６１は、その受信側において、送られてきたパケットデータをアンテナ６６で受信し、増幅、復調してロジック６３等へ出力する。
【００１０】
ＲＳＳＩ部６２は、ＮＦＣタグ６０のアンテナ６６への入力信号の強度に応じた電圧を出力する回路（信号強度測定回路）である。つまり、このＲＳＳＩ部６２はアンテナ電圧測定部を構成し、アンテナ６６への入力信号の強度に応じた値をロジック６３に出力するようになっている。
【００１１】
ロジック６３は、図２に示すように、制御回路６３ａや暗号回路６３ｂを含んで構成されている。
【００１２】
機器本体７０はホスト装置７１を備えている。このホスト装置７１は、図３に示すように、ＣＰＵ７１ａと、システムメモリ７１ｂと、外部メモリ７１ｃと、ホストコントローラ７１ｄとを有する。そして、ＣＰＵ７１ａと、システムメモリ７１ｂと、外部メモリ７１ｃと、ホストコントローラ７１ｄとはシステムバスを介して接続されている。また、ホスト装置７１には、発光装置７２、表示装置７３、入力装置７４、音出力装置７５及び振動装置７６が接続されている。
【００１３】
ＣＰＵ７１ａは、ホスト装置７１における情報処理を制御するものであり、システムメモリ７１ｂに記憶されているアンテナ状態の通知処理プログラム、その他機器本体７０の本来的機能を実現するためのプログラムを実行する。
【００１４】
システムメモリ７１ｂは、例えばＲＡＭ（Random Access Memory）によって構成されている。また、外部メモリ７１ｃは、例えば、ハードディスク装置や光ディスク装置によって構成されている。この外部メモリには、テキストデータ、音声データ、動画データなどが記憶されてもよい。
【００１５】
ホストコントローラ７１ｄは、ホスト装置７１にＮＦＣタグ６０を接続するために用いられる。そして、ホストコントローラ７１ｄはＣＰＵ７１ａから出力された信号又はデータ等をＮＦＣタグ６０へ出力すると共に、ＮＦＣタグ６０から出力された信号又はデータをＣＰＵ７１ａ又はシステムメモリ７１ｂへ出力する。
【００１６】
発光装置７２はＬＥＤ（Light Emitting Diode）等から構成され、表示装置７３はＬＣＤ（Liquid Crystal Display）等から構成され、入力装置７４は各種キー等から構成され、音出力装置７５はスピーカ等を含んで構成され、振動装置７６は振動モータから構成されている。
【００１７】
本実施形態は、この発光装置７２、表示装置７３、音出力装置７５及び振動装置７６の少なくとも１つを用いて、近距離無線通信の際にアンテナ状態（例えばアンテナ位置の適否）をユーザに通知するものである。したがって、本実施形態は、発光装置７２、表示装置７３、音出力装置７５及び振動装置７６の全てを備えるＮＦＣ搭載機器に限らず、その中の少なくとも一つを備えるＮＦＣ搭載機器であれば適用可能である。
【００１８】
このような構成を有するＮＦＣ搭載機器５０においては、ＮＦＣタグ６０がホスト装置７１に接続されているので、ＮＦＣ搭載機器１０とＮＦＣタグ６０との通信であるＲＦ通信モード、ＮＦＣタグ６０とホストコントローラ７１ｄとの通信であるシリアル通信モード、ＮＦＣ搭載機器１０とホストコントローラ７１ｄとの通信であるトンネル通信モードが実現可能である。
【００１９】
ＲＦ通信モードは、ＮＦＣ搭載機器１０のアプリケーションによって実現される。このモードでは、ＮＦＣ搭載機器１０とＮＦＣタグ６０との通信がなされ、ＮＦＣ搭載機器１０からＮＦＣタグ６０に内蔵されたＲＡＭ６４にアクセスする。この場合、ＮＦＣ搭載機器１０からＮＦＣタグ６０にＲＦ通信コマンドを送信し、ＮＦＣタグ６０は、コマンド処理を行い、処理結果をＮＦＣ搭載機器１０にＲＦ通信モードレスポンスとして送信する。
【００２０】
シリアル通信モードは、ホスト装置７１のホストコントローラ７１ｄがＮＦＣタグ６０を制御するソフトによって実現される。このモードではＮＦＣタグ６０とホストコントローラ７１ｄとの通信がなされる。この場合、ホストコントローラ７１ｄがＮＦＣタグに電源を供給し、ホストコントローラ７１ｄからＮＦＣタグ６０にシリアル通信コマンドを送信し、ＮＦＣタグ６０は、コマンド処理を行い、処理結果をホストコントローラ７１ｄにシリアル通信モードレスポンスとして送信する。
【００２１】
トンネル通信モードは、ＮＦＣ搭載機器１０のアプリケーションとホスト装置７１のホストコントローラ７１ｄがＮＦＣタグ６０を制御するソフトによって実現される。このモードでは、ＮＦＣ搭載機器１０とホストコントローラ７１ｄとの通信がなされる。この場合、ＮＦＣ搭載機器１０からＮＦＣタグ６０にトンネル通信モードコマンドを送信し、ＮＦＣタグ６０はホストにＩＲＱ（割り込み）通知を行う。ホストコントローラ７１ｄはＮＦＣタグ６０に電圧を印加していない場合にはＮＦＣタグ６０に電圧を印加する。その後、ホストコントローラ７１ｄはＮＦＣタグ６０に問い合わせコマンドを送信し、ＮＦＣタグ６０はホストコントローラ７１ｄに問い合わせレスポンスを送信する。そして、ホストコントローラ７１ｄはＮＦＣタグ６０に結果通知コマンドを送信し、ＮＦＣタグ６０はホストコントローラ７１ｄに結果通知レスポンスを送信した後、結果通知コマンドの内容をトンネル通信モードレスポンスとしてＮＦＣ搭載機器１０に送信する。
【００２２】
本実施形態は、例えば、このようにして行われる通信モードのうちＲＦ通信モード及びトンネル通信モードの際に、ＲＳＳＩ部６２からの出力（電圧信号）をモニタし、アンテナ位置の適否をユーザに通知することとしたものである。すなわち、ＲＦ通信モード及びトンネル通信モードの際には、ＮＦＣタグ６０のアンテナ６６には、ＮＦＣ搭載機器１０からの信号受信に伴って電圧が発生する。そこで、この電圧をＲＳＳＩ部６２で測定し、この電圧信号の振幅に基づいて、アンテナ位置の適否を判断し、その結果をユーザが五感で認識し得る形で通知することとしたものである。
【００２３】
続いて、通知の仕方を説明すれば、この通知の仕方は、大別すれば、（１）信号受信の間だけ連続的に通知を行い、その際に、アンテナ位置の状況に応じて通知の態様を異ならしめるもの、（２）間欠的か連続的かに関係なく信号を受信している間、連続的又は定期的に通知を行い、その際に、アンテナ位置の状況に応じて通知の態様を異ならしめるもの、（３）間欠的か連続的かに関係なく信号を受信している間、連続的に通知を行い、その際に、アンテナ位置の状況を数値で通知するもの、に分けられる。
【００２４】
図４は上記（１）の通知を行う場合の通知処理の流れを示すフローチャートである。このフローチャートに基づき通知処理の流れを説明すれば次の通りである。なお、この通知処理は、ＮＦＣ搭載機器１０からパワー伝送があったときだけ実行される。この場合にはＮＦＣタグ６０のロジック６３がアンテナ状態判断手段として機能し、ＣＰＵ７１ａが通知手段制御部として機能する。
先ず、ＣＰＵアンテナ位置が適切な場合と不適切な場合とで同種の通知ではあるが、通知の態様を変化させる設定をしておく。
そして、ロジック６３にＲＳＳＩ部６２からの出力信号（電圧信号）が入力されたとき、ロジック６３は、その電圧の振幅が閾値以上であるか否かを判断し（ステップＳ１）、その結果をＣＰＵ７１ａに出力し、ＣＰＵ７１ａは、閾値以上の場合（ステップＳ１でＹＥＳの場合）には、通知１の処理を行い（ステップＳ２Ａ）、閾値未満の場合には、通知１とは態様が異なる通知２の処理を行う（ステップＳ２Ｂ）。
【００２５】
図５は上記（２）の通知を行う場合の通知処理を示すフローチャートである。このフローチャートに基づき通知処理の流れを説明すれば次の通りである。なお、この通知処理は、例えば、タイマー割り込みによって実行される。このタイマー割り込みの場合には，通知処理はＣＰＵ７１ａによって実行される。この場合には、ＣＰＵ７１ａがアンテナ状態判断手段及び通知手段制御部として機能する。
この場合も、モニタ間隔をポーリング信号の信号幅以下に設定しておく。ポーリング信号の受信時のように間欠受信時にもポーリング信号を確実にモニタできるようにするためである。加えて、アンテナ位置が適切な場合と不適切な場合とで同種の通知ではあるが、通知の態様を変化させるように設定をしておく。
そして、ＣＰＵ７１ａにＲＳＳＩ部６２からの出力信号（電圧信号）が入力されたとき（ステップＳ１１でＹＥＳ）、ＣＰＵ７１ａは、その電圧の振幅が閾値以上であるか否かを判断し（ステップＳ１２）、閾値以上の場合（ステップＳ１２でＹＥＳの場合）には、連続的又は定期的に通知３の処理を行い（ステップＳ１３Ａ）、閾値未満の場合には、連続的又は定期的に、通知３とは態様が異なる通知４の処理を行う（ステップＳ１３Ｂ）。また、ＣＰＵ７１ａにＲＳＳＩ部６２からの出力信号（電圧信号）が入力されないとき（ステップＳ１１でＮＯ）、ＣＰＵ７１ａは、ポーリング周期以上経過したか否かを判断し（ステップＳ１４）、ポーリング周期を経過しない場合（ステップＳ１４でＮＯの場合）には割り込みリターンとする。一方、ステップＳ１４でポーリング周期以上経過した場合（ステップＳ１４でＹＥＳの場合）には既に通知状態にあるか否かを判断し（ステップＳ１５）、既に通知状態にある場合（ステップＳ１５でＹＥＳ）には通知状態を解除して（ステップＳ１６）割り込みリターンとする。また、ステップＳ１５で、既に通知状態にない場合（ステップＳ１５でＮＯ）には割り込みリターンとする。
【００２６】
図６は上記（３）の通知を行う場合の通知処理を示すフローチャートである。このフローチャートに基づき通知処理の流れを説明すれば次の通りである。なお、この通知処理は、例えば、タイマー割り込みによって実行される。このタイマー割り込みの場合には，通知処理はＣＰＵ７１ａによって実行される。この場合には、ＣＰＵ７１ａがアンテナ状態判断手段及び通知手段制御部として機能する。
先ず、モニタ間隔をポーリング信号の信号幅以下に設定しておく。加えて、アンテナの状態を示すレベルを逐次に通知するように設定をしておく。
そして、ＣＰＵ７１ａにＲＳＳＩ部６２からの出力信号（電圧信号）が入力されたとき（ステップＳ２１でＹＥＳ）、ＣＰＵ７１ａは、その電圧の振幅を逐次に通知する（ステップＳ２２）。また、ＣＰＵ７１ａにＲＳＳＩ部６２からの出力信号（電圧信号）が入力されないとき（ステップＳ２１でＮＯ）、ＣＰＵ７１ａは、ポーリング周期以上経過したか否かを判断し（ステップＳ２３）、ポーリング周期を経過しない場合（ステップＳ２３でＮＯの場合）には割り込みリターンとする。一方、ステップＳ２３でポーリング周期以上経過した場合（ステップＳ２３でＹＥＳの場合）には既に通知状態にあるか否かを判断し（ステップＳ２４）、既に通知状態にある場合（ステップＳ２４でＹＥＳ）には通知状態を解除して（ステップＳ２５）割り込みリターンとする。また、ステップＳ２４で、既に通知状態にない場合（ステップＳ２４でＮＯ）には割り込みリターンとする。
【００２７】
以上の通知は、具体的には、音出力装置７５による音の出力、発光装置７２による光の点灯、表示装置７３による表示、振動装置７６による振動の１つ又はその組み合わせによって実現される。そこで、以下では、音による通知、光による通知、表示による通知、振動による通知に分けて説明する。
【００２８】
１．音による通知
（１）音の高低による通知
（信号受信中だけの連続音による通知）
図４に示すフローチャートの流れに従って、何らかの信号を受信している間は連続的に音を出力し、ポーリングとポーリングとの間の期間中のように信号が無いときには消音とすると共に、音を出力している間に、信号の振幅が閾値以上の場合は高音を出力し、閾値より小さい場合は低音を出力する。
【００２９】
（連続音による通知）
図５に示すフローチャートの流れに従って、何らかの信号を受信している間は間欠受信動作又は連続受信動作に関係なく連続的に音を出力すると共に、音を出力している間に、信号の振幅が閾値以上の場合は高音を出力し、閾値より小さい場合は低音を出力する。
【００３０】
（定期音による通知）
図５に示すフローチャートの流れに従って、何らかの信号を受信している間は間欠受信動作又は連続受信動作に関係なく連続的に音を出力する。さらに、音を出力している間に、信号の振幅が閾値以上の場合は高音を出力し、閾値より小さい場合は低音を出力する。
【００３１】
（２）音の大小による通知
（信号受信中だけの連続音による通知）
図４に示すフローチャートの流れに従って、何らかの信号を受信している間は連続的に音を出力し、ポーリングとポーリングとの間の期間中のように信号が無いときには消音とする。さらに、音を出力している間に、信号の振幅が閾値以上の場合は大音を出力し、閾値より小さい場合は小音を出力する。
【００３２】
（連続音による通知）
図５に示すフローチャートの流れに従って、何らかの信号を受信している間は間欠受信動作又は連続受信動作に関係なく連続的に音を出力する。さらに、音を出力している間に、信号の振幅が閾値以上の場合は大音を出力し、閾値より小さい場合は小音を出力する。
【００３３】
（定期音による通知）
図５に示すフローチャートの流れに従って、何らかの信号を受信している間は間欠受信動作又は連続受信動作に関係なく連続的に音を出力する。さらに、音を出力している間に、信号の振幅が閾値以上の場合は大音を出力し、閾値より小さい場合は小音を出力する。
【００３４】
（３）音出力間隔の長短による通知
図５に示すフローチャートの流れに従って、何らかの信号を受信している間は間欠受信動作又は連続受信動作に関係なく所定の間隔で音を出力する。さらに、音を出力している間に、信号の振幅が閾値以上の場合は短間隔で音を出力し、閾値より小さい場合は長間隔で音を出力する。
【００３５】
２．光による通知
（１）光の点滅による通知
（信号受信中だけの点灯による通知）
図４に示すフローチャートの流れに従って、何らかの信号を受信している間は点灯し、ポーリングとポーリングとの間の期間中のように信号が無いときには消灯する。さらに、発光している間に、信号の振幅が閾値以上の場合は光の色を緑色とし、閾値より小さい場合は光の色を赤色とする。
【００３６】
（連続点灯による通知）
図５に示すフローチャートの流れに従って、何らかの信号を受信している間は間欠受信動作又は連続受信動作に関係なく連続的に点灯する。さらに、発光している間に、信号の振幅が閾値以上の場合は光の色を緑色とし、閾値より小さい場合は光の色を赤色とする。
【００３７】
（定期点灯による通知）
図５に示すフローチャートの流れに従って、何らかの信号を受信している間は間欠受信動作又は連続受信動作に関係なく定期的に点灯する。さらに、発光している間に、信号の振幅が閾値以上の場合は光の色を緑色とし、閾値より小さい場合は光の色を赤色とする。
【００３８】
（２）光の大小による通知
（信号受信中だけの連続点灯による通知）
図４に示すフローチャートの流れに従って、何らかの信号を受信している間は点灯し、ポーリングとポーリングとの間の期間中のように信号が無いときには消灯する。さらに、発光している間に、信号の振幅が閾値以上の場合は光の大きさを大きくし、閾値より小さい場合は光の大きさを小さくする。
【００３９】
（連続点灯による通知）
図５に示すフローチャートの流れに従って、何らかの信号を受信している間は間欠受信動作又は連続受信動作に関係なく連続的に点灯する。さらに、発光している間に、信号の振幅が閾値以上の場合は光の大きさを大きくし、閾値より小さい場合は光の大きさを小さくする。
【００４０】
（定期点灯による通知）
図５に示すフローチャートの流れに従って、何らかの信号を受信している間は間欠受信動作又は連続受信動作に関係なく定期的に点灯する。さらに、発光している間に、信号の振幅が閾値以上の場合は光の色を緑色とし、閾値より小さい場合は光の色を赤色とする。
【００４１】
（３）点灯間隔の長短による通知
図５に示すフローチャートの流れに従って、何らかの信号を受信している間は間欠受信動作又は連続受信動作に関係なく所定の間隔で光を点灯する。さらに、光を点灯している間に、信号の振幅が閾値以上の場合は短間隔で光を点灯し、閾値より小さい場合は長間隔で光を点灯する。
【００４２】
３．表示による通知
（１）数値表示による通知
図６に示すフローチャートの流れに従って、何らかの信号を受信している間は間欠受信動作又は連続受信動作に関係なく電圧レベルに対応した数値を表示する。
【００４３】
（２）動物又はキャラクタの表情変化による通知
図５に示すフローチャートの流れに従って、何らかの信号を受信している間は間欠受信動作又は連続受信動作に関係なく動物又はキャラクタを表示する。さらに、動物又はキャラクタを表示している間に、信号の振幅が閾値以上の場合は動物又はキャラクタの表情を笑顔とし、閾値より小さい場合は動物又はキャラクタの表情を泣き顔とする。
【００４４】
４．振動の周波数変化による通知
図５に示すフローチャートの流れに従って、何らかの信号を受信している間はＮＦＣ搭載機器５０を振動させる。さらに、振動している間に、信号の振幅が閾値以上の場合は振動を細かくし、閾値より小さい場合は振動を粗くする。
【００４５】
以上、本発明の実施形態を説明したが、本発明は、かかる実施形態に限定されるものではなく、その要旨を逸脱しない範囲で、種々変形可能である。
例えば、上記実施形態では、ＲＳＳＩ部６２からの出力信号（電圧信号）が閾値以上か、閾値未満かで、通知の処理を変えるようにしたが、出力信号（電圧信号）に比例させて、例えば、通知する音の高低、音の大小、又は音出力の間隔の大小、点灯の大小、点灯色又は点灯間隔の大小を変えるようにしてもよい。この場合でも、信号受信の間だけ連続的に通知するだけでなく、間欠的か連続的かに関係なく信号を受信している間、連続的又は定期的に通知することができる。ただし、間欠的か連続的かに関係なく信号を受信している間、連続的又は定期的に通知することとした場合、例えば、間欠的に信号を受信しているときには、次に信号が受信されるまでの間は最後に受信した信号の振幅に応じた通知を行うことが好ましい。
また、上記実施形態では、ＮＦＣタグ６０を備えるＮＦＣ搭載機器５０の通知手段、つまり、発光装置７２、表示装置７３、音出力装置７５及び振動装置７６の少なくとも１つを用いて、アンテナ位置の適否を通知するようにしたが、ＮＦＣ搭載機器５０側からのレスポンスの状態を見ながら、ＮＦＣ搭載機器１０側の発光装置、表示装置、音出力装置及び振動装置の少なくとも１つを用いて通知するようにしてもよい。
更に、ＮＦＣタグ６０を備えるＮＦＣ搭載機器５０の場合、Ｐ２Ｐモードの通信も可能となるが、この場合、どちらか一方の機器が通知するか、双方の機器が通知するようにしてもよい。
【００４６】
以下に、この出願の願書に最初に添付した特許請求の範囲に記載した発明を付記する。
付記に記載した請求項の項番は、この出願の願書に最初に添付した特許請求の範囲の通りである。
【００４７】
［付記］
＜請求項１＞
近距離無線通信手段を備えた近距離無線通信機器であって、前記近距離無線通信手段のアンテナに発生する電圧を測定するアンテナ電圧測定部が当該近距離無線通信手段に設けられると共に、前記アンテナ電圧測定部からの出力に基づいて前記近距離無線通信手段のアンテナの状態を通知する通知手段を備えることを特徴とする近距離無線通信機器。
＜請求項２＞
前記アンテナ電圧測定部からの出力に基づいて前記近距離無線通信手段のアンテナの状態を判断するアンテナ状態判断手段を備え、前記通知手段は、前記アンテナの状態の通知として、前記アンテナ状態判断手段による判断結果に対応した通知を行うことを特徴とする請求項１に記載の近距離無線通信機器。
＜請求項３＞
前記通知手段は、音声出力装置を備え、前記音出力装置から出力される音の高低、音の大小、又は音出力の間隔の大小の少なくとも１つによって前記アンテナの状態を通知することを特徴とする請求項１又は２に記載の近距離無線通信機器。
＜請求項４＞
前記通知手段は、発光装置を備え、前記発光装置による点灯の大小、点灯色又は点灯間隔の大小の少なくとも１つによって前記アンテナの状態を通知することを特徴とする請求項１又は２に記載の近距離無線通信機器。
＜請求項５＞
前記通知手段は、表示装置を備え、前記アンテナ電圧測定部からの出力レベルを前記表示装置で表示することによって前記アンテナの状態を通知することを特徴とする請求項１又は２に記載の近距離無線通信機器。
＜請求項６＞
前記通知手段は、表示装置を備え、動物又はキャラクタの表情変化を前記表示装置で表示することによって前記アンテナの状態を通知することを特徴とする請求項１又は２に記載の近距離無線通信機器。
＜請求項７＞
前記近距離無線通信機器は、ＮＦＣ搭載機器であることを特徴とする請求項１乃至６の何れか一項に記載の近距離無線通信機器。
＜請求項８＞
近距離無線通信手段を備えた近距離無線通信機器のアンテナ状態通知方法であって、
前記近距離無線通信手段のアンテナに発生する電圧を測定するアンテナ電圧測定ステップと、
前記アンテナ電圧測定ステップの出力に基づいてアンテナの状態を通知する通知ステップと、
を含むことを特徴とする近距離無線通信機器のアンテナ状態通知方法。
＜請求項９＞
近距離無線通信手段を備えた近距離無線通信機器のコンピュータを、
前記近距離無線通信手段のアンテナに発生する電圧を測定するアンテナ電圧測定手段、
前記アンテナ電圧測定手段の出力に基づいて前記近距離無線通信手段のアンテナの状態を通知する通知手段、
として機能させることを特徴とするプログラム。
【符号の説明】
【００４８】
１０      ＮＦＣ搭載機器
５０      ＮＦＣ搭載機器
６０      ＮＦＣタグ
６２      ＲＳＳＩ部（アンテナ電圧測定部）
７２      発光装置（通知手段）
７３      表示装置（通知手段）
７５      音出力装置（通知手段）
７６      振動装置（通知手段）
【図１】
2015012423.tif 000003
【図２】
2015012423.tif 000004
【図３】
2015012423.tif 000005
【図４】
2015012423.tif 000006
【図５】
2015012423.tif 000007
【図６】
2015012423.tif 000008